(57)【要約】【課題】ギヤ歯形状を複雑化する必要がなく、ギヤの製造が容易な逆転防止機構を備える塗膜転写具を提供する。【解決手段】塗膜転写具１は、ケース本体５と、未使用の転写テープＴが巻装される供給ボビン２１を駆動する供給ボビン駆動軸３１と、使用済みの転写テープＴが巻装される巻取ボビン２２を駆動する巻取ボビン駆動軸４１と、供給ボビン駆動軸３１と巻取ボビン駆動軸４１を回転連結する回転連結機構８０と、回転連結機構８０の逆転を防止する逆転防止機構５０と、を有する。逆転防止機構５０は、供給ボビン駆動軸３１、巻取ボビン駆動軸４１及び回転連結機構８０による回転系と連結するロールギヤ４３と、ロールギヤ４３周りの所定範囲を移動可能に配置されてロールギヤ４３と歯合する移動ギヤ５２，５３と、ロールギヤ４３の逆転方向側に対応して配置されて移動ギヤ５２，５３と係止可能な係止突起と、を有する。【選択図】  図２
2019025827.tif 000002
【特許請求の範囲】
【請求項１】
ケース本体と、
前記ケース本体に設けられ、未使用の転写テープが巻装される供給ボビンを駆動する供給ボビン駆動軸と、
前記ケース本体に設けられ、使用済みの前記転写テープが巻装される巻取ボビンを駆動する巻取ボビン駆動軸と、
前記供給ボビン駆動軸と前記巻取ボビン駆動軸を回転連結する回転連結機構と、
前記回転連結機構の逆転を防止する逆転防止機構と、
を有し、
前記逆転防止機構は、
前記供給ボビン駆動軸、前記巻取ボビン駆動軸及び前記回転連結機構による回転系と連結するロールギヤと、
前記ロールギヤ周りの所定範囲を移動可能に配置されて前記ロールギヤと歯合する移動ギヤと、
前記ロールギヤの逆転方向側に対応して配置されて前記移動ギヤと係止可能な係止突起と、
を有することを特徴とする塗膜転写具。
【請求項２】
前記移動ギヤ及び係止突起は、前記ロールギヤに対して対向して２箇所に配置されることを特徴とする請求項１に記載の塗膜転写具。
【請求項３】
前記移動ギヤは、前記ケース本体の内面に形成される囲繞壁により所定範囲を移動可能とされるとともに、前記係止突起は前記囲繞壁から突出して形成されることを特徴とする請求項１又は請求項２に記載の塗膜転写具。
【請求項４】
前記供給ボビン駆動軸は、クラッチ機構を介して前記回転連結機構と接続し、
前記回転連結機構は、前記巻取ボビン駆動軸に設けられる巻取側ギヤを有し、
前記ロールギヤは、前記巻取ボビン駆動軸に設けられるとともに、前記巻取側ギヤは、前記囲繞壁の端面上に配置されることを特徴とする請求項３に記載の塗膜転写具。  
【発明の詳細な説明】
【技術分野】
【０００１】
本発明は、逆転防止機構を備える塗膜転写具に関する。
【背景技術】
【０００２】
従来から、塗膜転写具には、通常、使用時に正転する供給ボビンや巻取ボビンの逆転を規制する逆転防止機構が備えられる。一般的には、ラチェット爪とラチェット歯により逆転防止機構が形成されるが、ラチェット歯がラチェット爪を弾く音が好まれない場合がある。このため、種々の構成により静音化した塗膜転写具が開示されている。例えば、特許文献１の塗膜転写具は、従来の駆動ギヤと、この駆動ギヤと歯合する従動ギヤとにより逆転防止機構を形成した。この逆転防止機構は、正転時には、通常のインボリュート曲面とされる駆動ギヤの一方側の歯面と、同じくインボリュート曲面とされる従動ギヤの一方側の歯面が当接する。そして、駆動ギヤの逆転時には、従動ギヤの外周面が、駆動ギヤ他方側の歯面における正転方向に上り勾配状の面と径方向に直線状の面とによる係止部に案内されて逆転が防止される。
【先行技術文献】
【特許文献】
【０００３】
【特許文献１】特許第５３９４８２９号
【発明の概要】
【発明が解決しようとする課題】
【０００４】
特許文献１の塗膜転写具では、供給ボビン駆動軸と巻取ボビン駆動軸は、駆動ギヤに歯合する中間ギヤや、この中間ギヤと歯合する巻取ボビン駆動軸上に設けられるギヤとにより回転連結されている。そして、逆転防止機構を構成するため、駆動ギヤのギヤ歯の一方面はインボリュート曲線とし、他方面は係止部を形成した。同様に、従動ギヤのギヤ歯も、一方面はインボリュート曲線として他方面は直線状に形成している。従って、この駆動ギヤに連結されるギヤ（特許文献１では中間ギヤ）は、駆動ギヤの係止部に係止されない形状となるよう考慮する必要があり、よってギヤの特殊な設計を要するので、ギヤ歯形状が複雑化してしまうことがあり、ギヤの製造が難しくなることがある。
【０００５】
本発明は、ギヤ歯形状を複雑化する必要がなく、ギヤの製造が容易な逆転防止機構を備える塗膜転写具を提供することを目的とする。
【課題を解決するための手段】
【０００６】
本発明に係る塗膜転写具は、ケース本体と、前記ケース本体に設けられ、未使用の転写テープが巻装される供給ボビンを駆動する供給ボビン駆動軸と、前記ケース本体に設けられ、使用済みの前記転写テープが巻装される巻取ボビンを駆動する巻取ボビン駆動軸と、前記供給ボビン駆動軸と前記巻取ボビン駆動軸を回転連結する回転連結機構と、前記回転連結機構の逆転を防止する逆転防止機構と、を有し、前記逆転防止機構は、前記供給ボビン駆動軸、前記巻取ボビン駆動軸及び前記回転連結機構による回転系と連結するロールギヤと、前記ロールギヤ周りの所定範囲を移動可能に配置されて前記ロールギヤと歯合する移動ギヤと、前記ロールギヤの逆転方向側に対応して配置されて前記移動ギヤと係止可能な係止突起と、を有する。
【発明の効果】
【０００７】
本発明によれば、通常のインボリュート曲線からなるギヤ歯を用いることができるので、ギヤの製造が容易な逆転防止機構を備える塗膜転写具を提供することができる。
【図面の簡単な説明】
【０００８】
【図１】本発明の実施形態に係る塗膜転写具を示す図であり、（ａ）は正面方向から見た斜視図であり、（ｂ）は背面方向から見た斜視図である。
【図２】本発明の実施形態に係る塗膜転写具のケース本体とリフィールを分離した状態を示す斜視図である。
【図３】本発明の実施形態に係る塗膜転写具のケース本体の分解斜視図である。
【図４】本発明の実施形態に係る塗膜転写具の逆転防止機構の動作を示す正面模式図であり、（ａ）は正転時を示し、（ｂ）は逆転時を示す。
【発明を実施するための形態】
【０００９】
次に、本発明の実施形態を図に基づいて説明する。図１（ａ），（ｂ）に示すように、塗膜転写具１は、いわゆる修正テープとされる転写テープＴを備え、この転写テープＴが転写ヘッド１０で被転写面に押圧されることにより転写テープＴの転写層が被転写面に転写されるものである。塗膜転写具１は、ケース本体５の平坦面と、転写ヘッド１０における転写テープＴの面が平行となるよう配置される。ケース本体５から突出する転写ヘッド１０近傍のケース本体５には、キャップ７が設けられる。キャップ７は、回動自在に設けられ、転写ヘッド１０側に回動させると、転写ヘッド１０の転写ローラ１１をカバーすることができる。
【００１０】
なお、以下の説明においては、転写ヘッド１０が備えられる方向を前、その反対側を後とする。また、転写ヘッド１０を上側にして転写ローラ１１の軸を上下に向けた状態において後ろから前方を見たときの左側を左、右側を右、上側を上、下側を下とする。
【００１１】
図２に示すように、ケース本体５は、左ケース５ａ及び右ケース５ｂの左右に分割して形成され、後端においてヒンジ接続されている。このヒンジ接続により、ケース本体５は開くことができ、内部に収納されるリフィール２０を取出すことができる。
【００１２】
リフィール２０は、リフィールケース２５の前端に転写ヘッド１０を備える。リフィールケース２５内には、未使用の転写テープＴが巻装される供給ボビン２１と、使用済みの転写テープＴが巻装される巻取ボビン２２と、を備える。供給ボビン２１及び巻取ボビン２２共に、回転軸を左右方向に向けて配置される。従って、供給ボビン２１に巻装される転写テープＴは、リフィールケース２５内にて９０度の捩じりを加えて転写ヘッド１０の転写ローラ１１を介される。そして、転写ローラ１１で転写層が被転写面に転写された使用済みの転写テープＴは、リフィールケース２５内で再度９０度元に戻す向きに捩じりを加えて巻取ボビン２２により巻き取られる。
【００１３】
ケース本体５の右ケース５ｂの内面後方には、供給側支持軸５ｂ１が立設する。右ケース５ｂの内面前方には、巻取側支持軸５ｂ２が立設する。供給側支持軸５ｂ１及び巻取側支持軸５ｂ２は、略円筒形状に形成されてすり割りが施されている。供給側支持軸５ｂ１には、供給側ギヤ６０が回転自在に設けられる。供給側ギヤ６０は、軸周りに円形の凹部６１が形成される。さらに、供給側支持軸５ｂ１には、供給側駆動軸部材３０が、供給側ギヤ６０に重ねて回転自在に設けられる。供給側駆動軸部材３０は、円筒状の供給ボビン駆動軸３１と、後述するクラッチ部７０（クラッチ機構）を形成するクラッチばね部３２により形成される。供給ボビン駆動軸３１は、外周に３枚のリブ３１ａが放射状に形成される。このリブ３１ａが、供給ボビン２１の軸内周面に形成される凹凸部２１ａと係合して、使用時における転写テープＴからの張力が供給ボビン２１を介して供給ボビン駆動軸３１に伝達される。
【００１４】
供給側支持軸５ｂ１は供給ボビン駆動軸３１に挿入されて、供給側支持軸５ｂ１のすり割りが径方向外側に弾発して供給側駆動軸部材３０及び供給側ギヤ６０の抜け止めがされる。さらに、クラッチばね部３２は、供給ボビン駆動軸３１の基部周りに円弧状の３本のばね部３２ａが放射状に延設されて、ばね部３２ａの膨出する先端部３２ｂが、供給側ギヤ６０の凹部６１の内周壁６１ａに弾発して押圧される。このようにして、供給側駆動軸部材３０が設定された回転力を超えて回転すると、クラッチばね部３２の先端部３２ｂが供給側ギヤ６０の内周壁６１ａを滑って、クラッチが作動する。すなわち、クラッチ部７０は、クラッチばね部３２と、凹部６１で形成される。塗膜転写具１では、供給ボビン２１が転写テープＴを送る量よりも、巻取ボビン２２が転写テープＴを巻き取る巻取量の方が多くなるよう設定される。そして、巻取量の方が超過している分は、クラッチ部７０の作用により適宜調整される。換言すれば、供給ボビン２１と巻取ボビン２２の回転数の差がクラッチ部７０により適宜調整される。
【００１５】
巻取側支持軸５ｂ２には、巻取側駆動軸部材４０が回転自在に設けられる。巻取側駆動軸部材４０は、略円筒形状の巻取ボビン駆動軸４１と、この巻取ボビン駆動軸４１の基部に設けられる巻取側ギヤ４２と、巻取側ギヤ４２の右側面側に形成されるロールギヤ４３（図３のＰ図も参照）と、を備える。ロールギヤ４３は、後述の逆転防止機構５０を構成する。巻取側支持軸５ｂ２は、巻取ボビン駆動軸４１に挿入されて、巻取側支持軸５ｂ２のすり割りが径外方向に弾発して巻取側駆動軸部材４０が抜け止めされる。また、巻取ボビン駆動軸４１の外周にはリブ４１ａが形成される。このリブ４１ａと巻取ボビン２２の内周面に形成される係合凹凸部２２ａが係合して、巻取ボビン２２は巻取ボビン駆動軸４１により駆動される。また、巻取側ギヤ４２は供給側ギヤ６０と歯合する。従って、巻取側ギヤ４２と供給側ギヤ６０とにより、供給ボビン駆動軸３１と巻取ボビン駆動軸４１を回転連結する回転連結機構８０が形成される。そして、ロールギヤ４３は巻取ボビン駆動軸４１及び巻取側ギヤ４２と同軸上に設けられるので、回転連結機構８０による回転系と連結する。
【００１６】
図２及び図３にも示すように、巻取側駆動軸部材４０の右側面側には、供給ボビン駆動軸３１の逆転防止機構５０が設けられる。逆転防止機構５０は、右ケース５ｂ内面における巻取側支持軸５ｂ２の外周に形成される囲繞壁５１と、この囲繞壁５１内においてロールギヤ４３に対して略対向して配置される移動ギヤ５２，５３と、ロールギヤ４３と、を備える。囲繞壁５１の端面上には巻取側ギヤ４２が配置される。すなわち、巻取側ギヤ４２の右側面は囲繞壁５１の端面上を摺接し、巻取側ギヤ４２により、移動ギヤ５２，５３はカバーされて、落下が防止される。そして、巻取側駆動軸部材４０のロールギヤ４３は、移動ギヤ５２，５３と歯合する。
【００１７】
より具体的には、図４に示すように左側面側から見て、囲繞壁５１は、巻取側支持軸５ｂ２に対して上側、下側及び右側（後方側）の３カ所に、それぞれ凸湾曲部５１ａ１，５１ａ２，５１ａ３が形成される。各凸湾曲部５１ａ１，５１ａ２，５１ａ３は、巻取側駆動軸部材４０の正転側（図４に示す正転方向Ｆの矢印方向側）が凸湾曲状となるよう形成される。各凸湾曲部５１ａ１，５１ａ２，５１ａ３の逆転方向側の端部（図４に示す逆転方向Ｒの矢印方向側）は、囲繞壁５１の略内側方向に向けて直線状部５１ｂ１，５１ｂ２，５１ｂ３が形成される。そして、上側の直線状部５１ｂ１と下側の凸湾曲部５１ａ２は、巻取側駆動軸部材４０の左側（前方側）にて前方方向に突出する凸円弧状の接続部５１ｃ１で接続される。同様に、下側の直線状部５１ｂ２と右側の凸湾曲部５１ａ３は、凸円弧状の接続部５１ｃ２で接続され、右側の直線状部５１ｂ３と上側の凸湾曲部５１ａ１は、接続部５１ｃ３で接続される。そして、各直線状部５１ｂ１，５１ｂ２，５１ｂ３の端部には、囲繞壁５１の内方向に三角形状に突出する係止突起５１ｄ１，５１ｄ２，５１ｄ３が形成される。
【００１８】
上側及び下側の凸湾曲部５１ａ１，５１ａ２と、直線状部５１ｂ１，５１ｂ２と、により形成される領域Ｓ１，Ｓ２には、それぞれ移動ギヤ５２，５３が設けられる。領域Ｓ１，Ｓ２は、移動ギヤ５２，５３の外径よりも若干大きく形成される。従って、移動ギヤ５２，５３は、領域Ｓ１，Ｓ２内を移動可能とされる。そして、移動ギヤ５２，５３は、領域Ｓ１，Ｓ２内の何れの位置においても、移動ギヤ５２の中心ＯＭ１とロールギヤ４３の中心ＯＲとを結ぶ線と、ロールギヤ４３の中心ＯＲと移動ギヤ５３の中心ＯＭ２とを結ぶ線と、によるなす角αが１８０度以下となるよう配置される。すなわち、中心ＯＭ１，ＯＲ，ＯＭ２を結ぶ線は、一直線状とならないように配置される。
【００１９】
なお、右側（後側）の凸湾曲部５１ａ３と直線状部５１ｂ３とにより形成される領域Ｓ３には移動ギヤは配置されないが、移動ギヤ５２，５３に加えて、領域Ｓ３に移動ギヤを配置することもできる。
【００２０】
次に、逆転防止機構５０の動作を説明する。塗膜転写具１を使用すると、図４（ａ）に示すように、巻取側駆動軸部材４０は、巻取側支持軸５ｂ２周りに正転方向Ｆ（図４（ａ）において時計回り）に回転する。すると、移動ギヤ５２，５３の外周は、それぞれ領域Ｓ１，Ｓ２内における凸湾曲部５１ａ１，５１ａ２の内周面に摺接するように移動して、それぞれの中心ＯＭ１，ＯＭ２周りに回転する。すなわち、塗膜転写具１の使用時（転写テープＴを被転写面に転写する転写時）においては、移動ギヤ５２，５３は空回りの状態となる。
【００２１】
そして、何らかのユーザの操作等により、巻取側駆動軸部材４０が逆転方向Ｒに回ろうとすると、移動ギヤ５２，５３は、領域Ｓ１，Ｓ２内で直線状部５１ｂ１，５１ｂ２に向けて移動する。すると、移動ギヤ５２，５３のうち何れかが、ロールギヤ４３の逆転方向Ｒ側に対応して配置される係止突起５１ｄ１，５１ｄ２と歯合して係止する。図４（ｂ）で示す例では、下側の移動ギヤ５３が係止突起５１ｄ２と係止している。このように移動ギヤ５２，５３が係止すると、ロールギヤ４３の逆転が規制され、このロールギヤ４３と連動して動作する回転連結機構８０及び巻取ボビン２２、供給ボビン２１も逆転が規制される。またこのとき、移動ギヤ５２，５３は、なす角αが１８０度以下であるため、２つの移動ギヤ５２，５３が同時に対応する係止突起５１ｄ１，５１ｄ２に係止されることはない。従って、移動ギヤ５２，５３のうち何れか一つが先に、対応する係止突起５１ｄ１，５１ｄ２と歯合して係止するので、ロールギヤ４３が逆転方向Ｒに回転し始めてからロールギヤ４３（巻取ボビン２２）の逆転が規制されるまでの時間を短くすることができる。
【００２２】
そして、塗膜転写具１の逆転防止機構５０では、通常のインボリュート曲線からなる歯を備えるギヤとしてのロールギヤ４３、移動ギヤ５２，５３を用いて構成されて、供給側ギヤ６０及び巻取側ギヤ４２も通常のインボリュート曲線からなる歯を備えるギヤとすることができる。従って、各ギヤの製造に掛かるコストが増大することもなく、また、ギヤの歯について特殊な設計をする必要がない。そして、従来のラチェット爪とラチェット歯で形成される逆転防止機構では、使用時にラチェット歯がラチェット爪を弾く音が出てしまっていたが、本実施形態における逆転防止機構５０では、そのような音が発せられることは無く、静かなオフィスや教室で使用することができる。
【００２３】
以上、本発明の実施形態を説明したが、本発明は本実施形態によっては制限されず、種々の形態で実施することができる。例えば、本実施形態では、塗膜転写具１はリフィール２０の交換式としたが、これに限られず、供給ボビン２１、巻取ボビン２２の交換ができないタイプの塗膜転写具にも本発明を適用することができる。この場合、本実施形態では、供給ボビン駆動軸、巻取ボビン駆動軸を、それぞれ供給側駆動軸部材３０の供給ボビン駆動軸３１、巻取側駆動軸部材４０の巻取ボビン駆動軸４１としたが、供給ボビン２１、巻取ボビン２２の交換ができないタイプの塗膜転写具では、供給ボビン駆動軸、巻取ボビン駆動軸をそれぞれ供給ボビン、巻取ボビンに一体的に設けることができる。すなわち、供給ボビン駆動軸、巻取ボビン駆動軸は、他の部材と一体的とすることもできるし、別体とすることもできる。
【００２４】
また、回転連結機構８０は、供給側ギヤ６０と巻取側ギヤ４２とにより形成したが、これに限られず、供給側ギヤと巻取側ギヤとの間に中間ギヤを設ける、又は、ベルト駆動を設ける等して供給ボビン駆動軸と巻取ボビン駆動軸を回転連結するよう形成することもできる。
【００２５】
また、本実施形態においては、供給ボビン駆動軸３１は、クラッチ機構（クラッチ部７０）を介して回転連結機構８０と接続するが、これに限られず、クラッチ機構は、供給ボビン２１と巻取ボビン２２との間の何れか（回転連結機構に含めても良い）に設けることができる。なお、本実施形態に示すように、供給ボビン２１側にクラッチ機構を設け、巻取ボビン２２側に逆転防止機構５０を設けることで、ケース本体５内部のスペースを有効に活用することができる。
【００２６】
また、移動ギヤ５２，５３は、囲繞壁５１により規制されることで、ロールギヤ４３周りの所定範囲を移動可能に配置されるが、これに限られず、ケース本体５から立設する複数のピンにより移動ギヤ５２，５３の移動範囲を規制することもできる。なお、囲繞壁５１によれば、簡単な構成で移動ギヤ５２，５３の移動範囲を規制することができ、係止突起５１ｄ１，５１ｄ２を容易に形成することができる。
【００２７】
また、移動ギヤの個数は、本実施形態では２個としたが、１個以上配置されていれば本発明に係る逆転防止機構を形成することができる。なお、本実施形態のように、移動ギヤ５２，５３をロールギヤ４３に対して略対向配置することにより、より確実に逆転防止機構５０を作動させることができる。
【符号の説明】
【００２８】
１        塗膜転写具                ５        ケース本体
５ａ      左ケース                  ５ｂ      右ケース
５ｂ１    供給側支持軸              ５ｂ２    巻取側支持軸
７        キャップ                  １０      転写ヘッド
１１      転写ローラ                ２０      リフィール
２１      供給ボビン                ２１ａ    凹凸部
２２      巻取ボビン                ２２ａ    係合凹凸部
２５      リフィールケース          ３０      供給側駆動軸部材
３１      供給ボビン駆動軸          ３１ａ    リブ
３２      クラッチばね部            ３２ａ    ばね部
３２ｂ    先端部                    ４０      巻取側駆動軸部材
４１      巻取ボビン駆動軸          ４１ａ    リブ
４２      巻取側ギヤ                ４３      ロールギヤ
５０      逆転防止機構              ５１      囲繞壁
５１ａ１，５１ａ２，５１ａ３  凸湾曲部
５１ｂ１，５１ｂ２，５１ｂ３  直線状部
５１ｃ１，５１ｃ２，５１ｃ３  接続部
５１ｄ１，５１ｄ２，５１ｄ３  係止突起
５２      移動ギヤ                  ５３      移動ギヤ
６０      供給側ギヤ                ６１      凹部
６１ａ    内周壁                    ７０      クラッチ部
８０      回転連結機構
Ｔ        転写テープ
【図１】
2019025827.tif 000003
【図２】
2019025827.tif 000004
【図３】
2019025827.tif 000005
【図４】
2019025827.tif 000006